(57)【要約】 【課題】デザイン性に優れたピアスを提供する事を目的とする。【解決手段】ピアス１０ａは複数のリング１が順次連結されたチェーン２であって、一方の端部から所定の数のリング１が直線状に固定された部分３が形成されている。したがって、全体を構成するチェーン２の一部である部分３がポストとして使用出来る為、チェーン２以外の部材を使用しないので、装身具としてのデザイン性に優れている。【選択図】図１ａ
0003169308.tif 000002
【実用新案登録請求の範囲】
【請求項１】
複数のリングが順次連結されたチェーンであって、一方の端部または両方の端部から所定の数のリングが直線状または略円弧状に固定された部分を有することを特徴とするピアス。
【請求項２】
複数のリングが順次連結されたチェーンであって、一方の端部から所定の数のリングが直線状または略円弧状に固定された部分と、他方の端部から所定の数のリングが平面形状または立体形状に固定された部分とを有することを特徴とするピアス。
【請求項３】
複数のリングが順次連結されたチェーンであって、一方の端部から所定の数のリングが直線状または略円弧状に固定された部分と、他方の端部に設置されたモチーフとを有することを特徴とするピアス。
【考案の詳細な説明】
【技術分野】
【０００１】
本考案はピアス、装身具の一種であるピアスに関する。
【背景技術】
【０００２】
アメリカンピアスの構造体には、装飾体であるモチーフ、ピアスを着脱する為に必要な機能を兼ね備えたポスト、モチーフとポストを繋ぐチェーンが存在しており、その別々のパーツが組み合わさり１つピアスが形成されている。装着する際はポストを耳に設けられたピアスホールに差し込み、そのままチェーンの部分まで通し、そこで止める。チェーンが両方で揺れ、モチーフを際立たせるアイテムとなる（例えば、特許文献１参照）。
【先行技術文献】
【特許文献】
【０００３】
【特許文献１】特開２００１−４６１２２（第２−３頁、図１）
【考案の概要】
【考案が解決しようとする課題】
【０００４】
特許文献１に記載されたピアスは、ポスト、モチーフ及びチェーンの組み合わせから成り立っている。この為ポストに目がいってしまいモチーフの存在感が薄れてしまい装身具としてのデザイン性が損なわれてしまうという問題があった。
本考案では以上の課題点を解決する為になされたものであって、その要旨は、デザイン性に優れたピアスを提供する事を目的とする。
【課題を解決するための手段】
【０００５】
（１）本考案では以上の課題点を解決する為になされたものであって、その要旨は、複数のリングが順次連結されたチェーンであって、一方の端部または両方の端部から所定の数のリングが直線状または略円弧状に固定された部分をポストとして使用するものである。
（２）さらに、複数のリングが順次連結されたチェーンであって、一方の端部から所定の数のリングが直線状または略円弧状に固定された部分をポストとして使用し、他方の端部から所定の数のリングが平面形状または立体形状に固定された部分をモチーフとして使用するのである。
（３）また、複数のリングが順次連結されたチェーンであって、一方の端部から所定の数のリングが直線状または略円弧状に固定された部分をポストとして使用し、他方の端部にモチーフを設置したものである。
【考案の効果】
【０００６】
本考案は前記構成であるから、全体を構成するチェーンの一部がポストとして機能する為、装身具としてのデザイン性に優れている。
さらに、全体を構成するチェーンの一部がモチーフとして機能する為、チェーン以外の部材を使用しないので、装身具としてのデザイン性に優れている。
【図面の簡単な説明】
【０００７】
【図１ａ】本考案の実施の形態に係るピアスを示す斜視図
【図１ｂ】本考案の実施の形態に係るピアスを示す斜視図
【図１ｃ】本考案の実施の形態に係るピアスを示す斜視図
【図１ｄ】本考案の実施の形態に係るピアスを示す斜視図
【考案を実施するための形態】
【０００８】
図１は本考案の実施の形態に係るピアスを示す斜視図であって、図１ａはモチーフ無しの片側ポストタイプ、図１ｂはモチーフ無しの両側ポストタイプ、図１ｃはチェーンで作られたモチーフ有りの片側ポストタイプ、図１ｄは別部材で作られたモチーフ有りの片側ポストタイプである。
図１ａにおいて、ピアス１０ａは複数のリング１が順次連結されたチェーン２であって、一方の端部から所定の数のリング１が直線状に固定された部分３が形成されている。したがって、全体を構成するチェーン２の一部である部分３がポストとして使用出来る為、耳６に設けられたピアスホール７への差し込みが容易になる。装着後部分３は耳６より縦に垂れ下がるので、チェーンの両端部が同じに見え特別なポスト機能を有する部材とは認められない、また、チェーン２以外の部材を使用していないので、装身具としてのデザイン性に優れている。
なお、前記部分３はロウ付け３ｂによって固定されているが、固定方法はロウ付け３ｂに限定されない、例えば接着剤等によっても良い。
また、部分３は直線状に限定するものではなく、例えば円弧状にしてもよい。さらに、リング１は楕円形状に限定するものではなく、例えば四角状や捩られたものであってもよい。
【０００９】
図１ｂにおいて、ピアス１０ｂは前記ピアス１０ａにおける部分３を両端部に設けたものである。従って装着する時に何れの端部からでも装着する事が出来、ピアス１０ａと同様にチェーン２以外の部材を使用しないので、装身具としてのデザイン性に優れている。
【００１０】
図１ｃにおいて、ピアス１０ｃは複数のリング１が順次連結されたチェーン２であって、一方の端部から所定の数のリング１が直線状に固定された部分３が形成され、その他方の端部から所定の数のリング１が円形に固定されている部分４が形成されており、全体を構成するチェーン２の一部である部分４がモチーフとして機能する為、チェーン2以外の部材を使用しないので、装身具としてのデザイン性に優れている。なお、前記部分４はロウ付け４ｂによって固定されているが、固定方法はロウ付け４ｂに限定されない、例えば接着剤等によっても良い。また、部分４は円形に限定するものではなく、例えば平面形状または立体形状であってもよい。さらに部分４をチェーン２の延長で一筆書きにて形成しておけば、より簡素である為デザイン性に優れる。
【００１１】
図１ｄにおいて、ピアス１０ｄは複数のリング１が順次連結されたチェーン２であって、一方の端部から所定の数のリング１が直線状に固定された部分３が形成され、その他方の端部に別部材によって製造されたモチーフ５が設置されているものである。したがって、好きなモチーフを設置する事が出来、チェーン２の一部である部分３がポストとして使用出来る為モチーフの美観を損ねる事が無いので、装身具としてのデザイン性に優れている。
【符号の説明】
【００１２】
１      リング
２      チェーン
３      部分（ポスト）
３ｂ    ロウ付け
４      部分（モチーフ）
４ｂ    ロウ付け
５      モチーフ
６      耳
７      ピアスホール
１０ａ  ピアス
１０ｂ  ピアス
１０ｃ  ピアス
１０ｄ  ピアス
【図１ａ】
0003169308.tif 000003
【図１ｂ】
0003169308.tif 000004
【図１ｃ】
0003169308.tif 000005
【図１ｄ】
0003169308.tif 000006